(57)【要約】      （修正有）【課題】ディスプレイ下の超音波指紋認識用の保護フィルムを提供する。【解決手段】前記保護フィルムは、保護層１および接着剤層２を含み、指紋認識領域での保護フィルムの総厚≦０．７０ｍｍであり、前記保護フィルムは、超音波指紋認識のディスプレイ３に適用され、保護層の外形に対する要求が低く、ディスプレイ下の指紋認識領域の厚さが均一かつ安定であり、ロック解除方式が信頼でき、支持点があれば、重力の作用下で、指紋認識領域の接着剤層が均一な厚さを形成し、１００％のロック解除目標に達する。【選択図】図１
0003223443.tif 000002
【実用新案登録請求の範囲】
【請求項１】
保護フィルムがディスプレイ（３）の上方に位置してディスプレイ（３）が指紋認識領域および他の領域を含むディスプレイ下の超音波指紋認識用の保護フィルムであって、
保護フィルムは、保護層（１）および接着剤層（２）を含み、指紋認識領域に位置する保護フィルムの総厚≦０．７０ｍｍであることを特徴とするディスプレイ下の超音波指紋認識用の保護フィルム。
【請求項２】
保護層（１）は超音波が透過可能な硬質材料層であり、前記硬質材料層はガラス材料からなり、前記ガラス材料は強化ガラスであることを特徴とする請求項１に記載のディスプレイ下の超音波指紋認識用の保護フィルム。
【請求項３】
前記保護層（１）上には、防爆フィルム（４）が接続され、防爆フィルム（４）は、保護層（１）のいずれか１面または２面に位置することを特徴とする請求項２に記載のディスプレイ下の超音波指紋認識用の保護フィルム。
【請求項４】
指紋認識領域に位置する保護層（１）、防爆フィルム（４）、接着剤層（２）の厚さは、それぞれ０．１５−０．３３ｍｍ、０．０２５−０．０７５ｍｍ、０−０．２２５ｍｍであることを特徴とする請求項３に記載のディスプレイ下の超音波指紋認識用の保護フィルム。
【請求項５】
前記指紋認識領域の周囲の保護層（１）上には、複数の支持点（５）があり、支持点（５）は、接着剤層（２）内に位置し、保護層（１）およびディスプレイ（３）を支持して接着剤層（２）の厚さを維持するために用いられることを特徴とする請求項１に記載のディスプレイ下の超音波指紋認識用の保護フィルム。
【請求項６】
前記支持点（５）の高さは０−０．２２５ｍｍであることを特徴とする請求項５に記載のディスプレイ下の超音波指紋認識用の保護フィルム。
【請求項７】
前記支持点（５）は、印刷または接着剤滴下の方式によって形成されることを特徴とする請求項５に記載のディスプレイ下の超音波指紋認識用の保護フィルム。
【請求項８】
前記接着剤層（２）の形成方式は、液体接着剤をディスプレイに滴下させ、そして強化ガラスを液体接着剤の上に置き、液体接着剤を平らにした後、重量のある物体を指紋認識領域に置き、そしてＵＶ硬化させて得ることであることを特徴とする請求項１に記載のディスプレイ下の超音波指紋認識用の保護フィルム。
【請求項９】
前記接着剤は液体接着剤であり、前記硬化はＵＶ硬化または光硬化であることを特徴とする請求項８に記載のディスプレイ下の超音波指紋認識用の保護フィルム。
【請求項１０】
前記液体接着剤は熱硬化型接着剤であり、前記硬化は熱硬化であることを特徴とする請求項８に記載のディスプレイ下の超音波指紋認識用の保護フィルム。
【考案の詳細な説明】
【技術分野】
【０００１】
本考案は、接着材料の技術分野に関し、特にディスプレイ下の指紋認識用の保護フィルムに関する。
【背景技術】
【０００２】
科学技術の発展に伴い、ディスプレイ下の超音波指紋認識を用いるスマートフォンがますます多くなり、超音波指紋認識は、無線周波数技術を採用しており、その原理は、超音波が有する材料透過の能力、かつ材料によって大きさの異なるエコーを生成することを利用し、超音波が異なる材質の表面に到達する時に吸収されて透過および反射の程度が異なることである。このため、音波インピーダンスに対する皮膚と空気との差を利用し、３次元の指紋パターンを確立することができ、それによって指紋が位置する位置を区別することができ、指の表面の清浄度を考えなくても良いが、その欠点は、超音波指紋認識が無線周波数技術を採用し、物質を透過する時にエネルギーがしばしば制限されることである。例えば、携帯電話の表面の強化ガラスの保護フィルムについて、厚すぎなく、空気がないようにし、通常のＰＥＴ、ＴＰＵ等の厚さの比較的薄い材料が認識しやすいが、フィルムが傷つけやすく、かつ手触りが悪く、ガラスの手触りおよび耐摩擦の効果に遥かに及ばない。現在、市販の曲面強化ガラスの保護フィルムおよびサファイアの保護フィルムは、いずれも縁に両面テープを接着材料として使用している製品であり、中央に空気があるため、指紋認識ができない。
【０００３】
ガラスが熱によって曲げた後に反りが発生して不安定性が非常に大きいため、正方向の反り、逆方向の反り、直線の反りの３種類があり、液体強化ガラスの動作原理は、熱曲げ強化ガラス＋防爆フィルム＋ＵＶ硬化接着剤または他の液体接着剤である。治具によって液体接着剤を保護したいディスプレイの表面を置き、そして治具によってガラスを適切な位置を置き、ガラス自体の重さに利用して圧力を形成し、液体接着剤を平らにする。このように強化ガラスと保護したいディスプレイとの間に平らにした液体接着剤が形成される。そしてＵＶ硬化または熱硬化、または他の方式によって液体接着剤を固体接着剤に変え、このように全体のプロセスが完了し、ガラスの形状の変化や接着剤の流動性および人為的操作要因の複数の制約を受け、中間に挟み込まれた液体接着剤の厚さが非常に不安定であり、ロック解除不良を起こし、消費者に大きな不便をもたらし、消費者の通常の体験に悪い影響をもたらす。
【０００４】
これに基づき、ディスプレイ下の超音波指紋認識を可能にする硬質の保護フィルムを開発することは、非常に重要である。
【考案の概要】
【考案が解決しようとする課題】
【０００５】
従来の強化ガラスフイルムがディスプレイ下の超音波指紋認識ディスプレイに適用されることによる認識の正確性および感度が悪く、日常使用を満足できないという技術的欠点を解決するために、本考案は、ディスプレイ下の超音波指紋認識用の強化ガラスの保護フィルムを開示し、指紋認識の１００％の技術的効果を達成する。
【課題を解決するための手段】
【０００６】
上記の目的を達成するために、以下の技術的解決手段によって実現される。
【０００７】
ディスプレイ下の超音波指紋認識用の保護フィルムであって、保護フィルムは、保護層および接着剤層を含み、指紋認識領域を位置する保護フィルムの総厚≦０．７０ｍｍである。
【０００８】
本構造の指紋認識領域に位置する保護フィルムの総厚≦０．７０ｍｍであり、超音波の透過能力が限られているため、保護フィルムが薄いほど指紋のロック解除の感度が高くなり、複数回の実験によると、本構造の保護フィルムの厚さを０．７０ｍｍ未満に設定することにより、ディスプレイの保護しながら、認識効率を最も高くなることができる。
【０００９】
好ましくは、前記保護層は超音波が透過可能な硬質材料層である。
【００１０】
好ましくは、前記硬質材料層はガラス材料からなる。
【００１１】
好ましくは、前記ガラス材料は強化ガラスである。
【００１２】
好ましくは、前記保護層上には、防爆フィルムがさらに設置され、前記防爆フィルムは、保護層上のいずれか１面または２面に貼り付けられる。
【００１３】
好ましくは、前記指紋認識領域の保護層の厚さは０．１５−０．３３ＭＭであり、指紋認識領域の防爆フィルムの厚さは０．０２５−０．０７５ｍｍであり、指紋認識領域の接着剤層の厚さは０−０．２２５ｍｍである。
【００１４】
好ましくは、前記指紋認識領域の周囲の保護層上には、複数の支持点があり、支持点の上方に一定の重量の物体が置かれる。支持点の役割は、接着剤層内の液体接着剤の指紋認識領域での厚さを０−支持点の高さに制御することである。
【００１５】
指紋認識領域の周囲の保護層上には、複数の支持点が設置され、支持点は、接着剤層の厚さを所定の範囲内に効果的に維持して厚さを一致させることができ、使用時、支持点を有する保護層を保護したいディスプレイの表面に置き、支持点を保護層とディスプレイとの間に位置させ、支持点において、ディスプレイと保護層との間に液体接着剤を充填し、そして保護層の上方に一定の重量の物体を置き、該物体が保護層に圧力を形成し、圧力の作用下で液体接着剤を平らにし、さらに硬化させることによって接着剤層を形成する。
【００１６】
保護層とディスプレイとの間に支持点を設置し、かつ一定の重量のある物体を指紋認識領域での保護層上に置き、液体接着剤の接着剤層の厚さを後硬化やその他の要因の影響を受けないようにすることができ、保護層とディスプレイとの間に均一な厚さの接着剤層を形成することができる。例えば、保護層の形状が変化したり、接着剤がその流動性によって動きが変形したりする時、支持点および一定の重量作用は、その影響を受けないように、接着剤層が位置する領域の厚さが一致することを効果的に維持できる。接着剤層の厚さが一致し、このように、使用時、超音波の透過を効果的に保証でき、透過の過程での損失を効果的に減少させ、ロック解除の効率をさらに向上させる。
【００１７】
同時に、上記の構造の保護層の材料は、強化ガラス材料であり、強化ガラス材料を採用することは、ガラスのより良い使用感および良い耐摩擦の効果を有するだけでなく、接着剤層の厚さを均一に維持するように、支持点をディスプレイとその自体との間により良く支持することができる。
【００１８】
さらに、本装置の支持点の材料は透明な液体であり、ディスプレイと保護層との間に設置され、そして光硬化または熱硬化を用いて透明な固体になる。このような設置は、接着剤層の厚さを均一に効果的に維持することができるだけではなく、かつ後期の超音波の透過に影響を与えず、使用効率がより高くなる。
【００１９】
好ましくは、前記支持点の高さは０−０．２２５ｍｍである。
【００２０】
好ましくは、前記支持点は、印刷または接着剤滴下の方式よって形成される。
【００２１】
好ましくは、前記接着剤層の形成方式は、液体接着剤をディスプレイに滴下させ、そして保護層を液体接着剤の上に置き、液体接着剤が平らにした後、重量のある物体を指紋認識領域に置くことにより、硬化させて得ることである。
【００２２】
好ましくは、前記液体接着剤はＵＶ接着剤であり、前記硬化はＵＶ硬化および光硬化である。
【００２３】
好ましくは、前記液体接着剤は熱硬化の接着剤であり、前記硬化は熱硬化である。
【考案の効果】
【００２４】
本考案の前記ディスプレイ下の超音波指紋認識用の強化ガラスの保護フィルムは、ガラスの外形に対する要求が低く、ディスプレイ下の指紋認識領域の厚さは均一かつ安定であり、ロック解除方式が信頼できる。支持点があれば、重力の作用下で、指紋認識領域の接着剤層は、均一な厚さを形成し、そして早めに硬化し、１００％のロック解除目標に達することができる。
【図面の簡単な説明】
【００２５】
【図１】本考案における保護フィルムの概略構成図である。
【図２】本考案における保護フィルムおよびその内部の支持点の概略構成図である。
【考案を実施するための形態】
【００２６】
実施例１
図１に示すように、ディスプレイ下の超音波指紋認識用の保護フィルムであって、前記保護フィルムは、保護層１および接着剤層２を含み、保護層１は、強化ガラスであって、ディスプレイ３上に位置する指紋認識領域の強化ガラスの厚さが０．２０ｍｍであり、指紋認識領域の接着剤層２の厚さが０．０１ｍｍである。
【００２７】
前記接着剤層２の形成方式は、ＵＶ硬化された液体接着剤をディスプレイに滴下させ、そして強化ガラスを液体接着剤の上に置き、液体接着剤を平らにした後、重量のある物体を指紋認識領域に置き、そしてＵＶ硬化させて得ることである。
【００２８】
この構造の保護フィルムは、ディスプレイ下の超音波指紋認識用であり、１００％の指紋認識を実現できる。
【００２９】
実施例２
図２に示すように、ディスプレイ下の超音波指紋認識用の保護フィルムであって、前記保護フィルムは、保護層１および接着剤層２を含み、保護層１は、強化ガラスであり、ディスプレイ３上に位置する指紋認識領域の強化ガラスの厚さが０．２５ｍｍである。
【００３０】
前記強化ガラス上には、強化ガラスの保護フィルムの安全性を向上させるために防爆フィルム４が貼り付けられ、指紋認識領域の防爆フィルム４の厚さが０．０２５ｍｍであり、指紋認識領域の接着剤層２の厚さが０．１０  ｍｍである。
【００３１】
前記指紋認識領域の周囲の保護層上には、４つの支持点５があり、４つの支持点５の高さが０．１ｍｍであり、支持点５の役割は、接着剤層２内の液体接着剤の指紋認識領域での厚さを０．１０ｍｍにすることであり、４つの支持点５は、指紋認識領域の接着剤の厚さを同じにし、指紋認識領域をより正確かつ高感度にする。
【００３２】
前記接着剤層２形成方式は、ＵＶ硬化の液体接着剤をディスプレイに滴下させ、そして強化ガラスを液体接着剤の上に置き、液体接着剤を平らにした後、重量のある物体を指紋認識領域に置き、そしてＵＶ硬化させて得ることであり、本実施例では、指紋認識領域の周囲に４つの支持点が均等に配置されるため、支持点は、保護層１とディスプレイ３との間に形成された領域を効果的に支持することができ、かつ重量物の圧力の作用下で、指紋認識領域の接着剤層の厚さをいずれも０．１０ｍｍとし、その厚さを一致させる。この構造の保護フィルムは、ディスプレイ下の超音波指紋認識用であり、１００％指紋認識を実現できる。かつ、一定の重量のある物体は、２０ｇの分銅であってもよく、分銅の具体的な重量は、接着剤の性能等によって決められる。
【００３３】
実施例３
図２に示すように、ディスプレイ下の超音波指紋認識用の保護フィルムであって、前記保護フィルムは、保護層１および接着剤層２を含み、保護層１は、強化ガラスであり、ディスプレイ３上に位置する指紋認識領域の強化ガラスの厚さが０．２３  ｍｍである。
【００３４】
前記保護層１には、保護フィルムの安全性を向上させるために防爆フィルム４が貼り付けられ、指紋認識領域の防爆フィルム４の厚さが０．０５ｍｍであり、指紋認識領域の接着剤層２の厚さが０．１５ｍｍである。
【００３５】
前記指紋認識領域の周囲の保護層１上には、５つの支持点５があり、５つの支持点５の高さが０．１５ｍｍであり、支持点５の役割は、液体接着剤の指紋認識領域での厚さを０．１５ｍｍにすることであり、５つの支持点５は、指紋認識領域の接着剤層２の厚さを同じにし、指紋認識領域より正確かつ高感度にする。
【００３６】
前記接着剤層２の形成方式は、熱硬化の液体接着剤をディスプレイに滴下させ、そして強化ガラスを液体接着剤の上に置き、液体接着剤を平らにした後、２５ｇの分銅を指紋認識領域を置くことにより、接着剤層２の厚さを一致させ、そして熱硬化させて得ることであり、本実施例では、指紋認識領域の周囲には、５つの支持点が均等に配置されるため、重量物の圧力の作用下で、指紋認識領域の接着剤層２の厚さをいずれも０．１５ｍｍとし、厚さを一致させる。この構造の保護フィルムは、ディスプレイ下の超音波指紋認識用であり、１００％指紋認識を実現できる。
【００３７】
また、理解すべきこととして、本明細書の実施形態に従って説明したが、各実施形態には、一つの独立した技術的解決手段しか含まれないというわけではなく、明細書のこのような説明形態が単に明確にするためのものにすぎず、当業者は、明細書を全体としてみるべきであり、各実施例における技術的解決手段を適切に組み合わせ、当業者が理解できる他の実施形態を形成してもよい。
【符号の説明】
【００３８】
図において、１−保護層、２−接着剤層、３−ディスプレイ、４−防爆フィルム、５−支持点
【図１】
0003223443.tif 000003
【図２】
0003223443.tif 000004